(57)【特許請求の範囲】
【請求項１】
遊技媒体が走行する走行路と、
前記走行路に沿って所定距離をおいて２ケ所にそれぞれ設置され、前記走行路を通る遊技媒体を検出する送信部と受信部とによってそれぞれ一対に構成された第１、第２の検出装置と、
前記第１、第２の検出装置の両方の送信部を駆動する第１の状態と、前記第１、第２の検出装置のいずれか一方の送信部のみを駆動する第２の状態とを切換条件記憶手段の切換タイミングによって切換える切換手段と、
前記第２の状態において駆動されている送信部側の受信部の検出信号を計数するカウンタと、
前記第１の状態において、前記第１、第２の検出装置の各受信部の検出信号の位相差が所定の範囲内の場合にのみ正常と判定し、前記第２の状態において、前記駆動されていない送信部側の受信部の検出出力がない場合にのみ正常と判定する判定手段と、
前記判定手段が正常と判定した場合に計数終了時の前記カウンタの計数値を記憶する計数値記憶手段とを備えた遊技媒体計数装置。
【請求項２】
遊技媒体が走行する走行路と、
前記走行路に沿って所定距離をおいて２ケ所にそれぞれ設置され、前記走行路を通る遊技媒体を検出する送信部と受信部とによってそれぞれ一対に構成された第１、第２の検出装置と、
前記第１、第２の検出装置の両方の送信部を駆動する第１の状態と、前記第１、第２の検出装置のいずれか一方の送信部のみを駆動する第２の状態とを切換条件記憶装置の切換タイミングによって切換える切換手段と、
前記第１、第２の検出装置の各受信部の検出信号をそれぞれ計数する第１、第２のカウンタと、
前記第１の状態において、前記第１、第２のカウンタの各計数値の差が零から前記走行路の前記２ケ所間に存在可能な遊技媒体数までの場合にのみ正常と判定し、前記第２の状態において、前記駆動されていない送信部側のカウンタの計数出力が零の場合にのみ正常と判定する判定手段と、
前記判定手段が正常と判定した場合に、前記第１の状態においては計数終了時の前記第１、第２のカウンタのいずれかの計数値を記憶し、前記第２の状態においては計数終了時の前記駆動されている送信部側のカウンタの計数値を記憶する計数値記憶手段とを備えた遊技媒体計数装置。
【発明の詳細な説明】
【０００１】
【発明の属する技術分野】
本発明は遊技媒体を計数する遊技媒体計数装置に関し、特に、不正による計数を防止するようにした遊技媒体計数装置に関する。
【０００２】
【従来の技術】
パチンコ店などの遊技店では、遊技者が獲得したパチンコ玉などの遊技媒体を景品交換などのために計数する遊技媒体計数装置が設置されている。
【０００３】
従来のこの種の遊技媒体計数装置は、遊技媒体が自重によって転動落下する傾斜した走行路を設け、この走行路を遊技媒体が通る際に光が遮断されるように一対の投光器及び受光器を設けて、遊技媒体による光の遮断を受光器で検出し、この検出信号を計数する構成になっている。
【０００４】
しかるに、このような従来の遊技媒体計数装置に対し、遊技媒体の受入れ口などから発光ダイオードなどの発光体を挿入して点滅駆動したり、あるいはアンテナを挿入して強い電磁波を間欠的に発射して検出信号を発生させることによって計数させる不正行為が行なわれている。
【０００５】
特に、近年各遊技台ごとに遊技媒体計数装置が設けられたものが普及しているが、このような場合、遊技店の店員がすべての遊技台を監視するのは困難なため前記不正行為が行なわれ易く、店側にとって大きな損害が生じている。
【０００６】
このような不正行為を防止するために、従来では、投受光器を走行路の上流側と下流側に２ケ所に設け、遊技媒体の走行速度で決まる２つの受光器の検出信号の位相差に一致するか否かに基づいて不正行為を判定する技術（特開平８−１８２８４８）が提案されている。
【０００７】
この従来技術によれば、不正の目的で発光体を遊技媒体計数装置内に挿入して２組のうちの一方の投受光器の側で点滅させても、２つの受光器の検出信号の位相差が一致しないので不正を検知でき、不正計数を未然に防ぐことができる。
【０００８】
また、従来では、走行路に設けた投受光器の他に、遊技媒体が走行することのない位置に不正検出用の受光器を別個に正規の投受光器の近くに設けて、この不正検出用の受光器が検出信号を出力した場合に不正行為と判定する技術（特開平７−１３３９０）も提案されている。
【０００９】
この従来技術によれば、不正の目的で発光体を遊技媒体計数装置内に挿入して点滅させても、不正検出用の受光器も検出信号を出力するため不正を検知でき、不正計数を未然に防ぐことができる。
【００１０】
【発明が解決しようとする課題】
しかしながら、２つの受光器の検出信号間の位相差を利用した前者の方法では、例えば２つの発光体を前記２ケ所の投受光器の近くにそれぞれ挿入して、２つの発光体を所定の時間差をもって点滅させた場合には不正を検出できないという不都合があった。
【００１１】
また、遊技媒体が通らない位置に不正検出用の特別の受光器を設けた後者の方法でも、特別の不正検出用の受光器を避けるように光が照射された場合には不正を検出できないという不都合があった。また、遊技媒体が走行しない別の位置に受光器を設けるため、余分のスペースが必要になるという不都合もあった。
本発明は、このような不都合を解決した遊技媒体計数装置を提供することを目的としている。
【００１２】
【課題を解決するための手段】
前記目的を達成するために、本発明の請求項１の遊技媒体計数装置は、
遊技媒体が走行する走行路と、
前記走行路に沿って所定距離をおいて２ケ所にそれぞれ設置され、前記走行路を通る遊技媒体を検出する送信部と受信部とによってそれぞれ一対に構成された第１、第２の検出装置と、
前記第１、第２の検出装置の両方の送信部を駆動する第１の状態と、前記第１、第２の検出装置のいずれか一方の送信部のみを駆動する第２の状態とを切換条件記憶手段の切換タイミングによって切換える切換手段と、
前記第２の状態において駆動されている送信部側の検出装置の受信部の検出信号を計数するカウンタと、
前記第１の状態において、前記第１、第２の検出装置の各受信部の検出信号の位相差が所定の範囲内の場合にのみ正常と判定し、前記第２の状態において、前記駆動されていない送信部側の受信部の検出出力がない場合にのみ正常と判定する判定手段と、
前記判定手段が正常と判定した場合に計数終了時の前記カウンタの計数値を記憶する計数値記憶手段とを備えている。
【００１３】
このように構成したため、前記切換手段で切換えられた第１の状態では、遊技媒体が走行路を通る際に第１、第２の検出装置の各受信部から検出信号が出力され、各検出信号の位相差が所定の範囲内の場合にのみ正常と判定手段で判定される。正常と判定された場合には、計数終了時のカウンタの計数値が計数値記憶手段に遊技媒体の計数値として記憶される。
【００１４】
また、前記切換手段で切換えられた第２の状態では、第１、第２の検出装置のうちのいずれか一方の送信部のみが駆動されていて、このため、遊技媒体が走行路を通る際には、いずれか一方の受信部からのみ検出信号が出力され、この検出信号がカウンタによって計数される。そして、駆動されていない側の受信部の検出出力がない場合にのみ正常と判定手段で判定される。正常と判定された場合には、計数終了時の前記カウンタの計数が記憶される。
【００１５】
前記切換手段による第１の状態と第２の状態の切換えのタイミングは、切換条件記憶手段に記憶されていて、この記憶された切換タイミングによって順次切換えられる。
【００１６】
従って、不正の目的で遊技媒体が走行しているようにみせかけるために発光体を挿入して点滅させた場合に、２つの送信部が駆動されている第１の状態では、第１、第２の検出装置の双方には光が届かず、一方の検出装置の受信部からしか検出信号が出力されないので、２つの受信部の検出信号間の位相差が所定の範囲内であるという条件を満たさないため、不正が直ちに検知される。また、いずれか一方の送信部のみが駆動されている第２の状態では、駆動されていない送信部側の検出装置の近くで不正の目的で発光体を点滅させた場合、駆動されていない送信部から検出出力が生じるため、不正が直ちに検知される。
【００１７】
なお、第２の状態で、不正の目的で駆動されていない側の検出装置側には発光の影響が及ばないようにして駆動されている側の検出装置の近くで不正の目的で発光体を点滅させた場合には、不正は検知されないが、前記切換手段によって第１、第２の状態は順次切換えられるから、第１の状態に切換えられた時点で直ちに不正が検知される。
【００１８】
また、不正の目的で２つの発光体を２ケ所の検出装置の近くで所定の時間差をもって点滅させた場合、いずれか一方の送信部のみが駆動されている第２の状態では、駆動されていない側の受信部からも検出出力が生じるので、不正が直ちに検知される。なお、このような不正行為の場合で、２つの送信部が駆動されている第１の状態では、２つの検出信号間の位相差が所定の範囲内になる場合には不正が検知されないが、前記切換手段によって、第１、第２の状態は順次切換えられるから、第２の状態に切換えられた時点で直ちに不正が検知される。
【００１９】
また、本発明の請求項２の遊技媒体計数装置は、
遊技媒体が走行する走行路と、
前記走行路に沿って所定距離をおいて２ケ所にそれぞれ設置され、前記走行路を通る遊技媒体を検出する送信部と受信部とによってそれぞれ一対に構成された第１、第２の検出装置と、
前記第１、第２の検出装置の両方の送信部を駆動する第１の状態と、前記第１、第２の検出装置のいずれか一方の送信部のみを駆動する第２の状態とを切換条件記憶装置の切換タイミングによって切換える切換手段と、
前記第１、第２の検出装置の各受信部の検出信号をそれぞれ計数する第１、第２のカウンタと、
前記第１の状態において、前記第１、第２のカウンタの各計数値の差が零からによって前記走行路の前記２ケ所間に存在可能な遊技媒体数までの場合にのみ正常と判定し、前記第２の状態において、前記駆動されていない送信部側のカウンタの計数出力が零の場合にのみ正常と判定する判定手段と、
前記判定手段が正常と判定した場合に、前記第１の状態においては計数終了時の前記第１、第２のカウンタのいずれかの計数値を記憶し、前記第２の状態においては計数終了時の前記駆動されている送信部側のカウンタの計数値を記憶する計数値記憶手段とを備えている。
【００２０】
このように構成したため、前記切換手段で切換えられた第１の状態では、遊技媒体が走行路を通る際に第１、第２の検出装置の各受信部から検出信号が出力され、各検出信号がそれぞれ第１、第２のカウンタによって計数される。そして、第１、第２のカウンタの計数値の差が零から前記走行路の前記２ケ所間に存在可能な遊技媒体数までの場合にのみ正常と判定手段で判定される。正常と判定された場合には、計数終了時の第１、第２のいずれかのカウンタの計数値が計数値記憶手段に遊技媒体の計数値として記憶される。
【００２１】
また、前記切換手段で切換えられた第２の状態では、第１、第２の検出装置のうちのいずれか一方の送信部のみが駆動されていて、このため、遊技媒体が走行路を通る際には、いずれか一方の受信部からのみ検出信号が出力され、この検出信号がカウンタによって計数される。そして、駆動されていない側のカウンタの計数出力が零の場合にのみ正常と判定手段で判定される。正常と判定された場合には、計数終了時の駆動されている送信部側のカウンタの計数が記憶される。
【００２２】
従って、不正の目的で１つの発光体を挿入して点滅させた場合、２つの送信部が駆動されている第１の状態では、一方の検出装置の受信部からしか検出装置が出力されないので、第１、第２のカウンタの計数値の差が正規範囲内にならないため、不正が直ちに検知される。また、いずれか一方の送信部のみが駆動されている第２の状態では、駆動されていない送信部側の検出装置の近くで不正の目的で発光体を点滅させた場合、駆動されていない送信部側のカウンタから計数出力が生じるため、不正が直ちに検知される。
【００２３】
なお、第２の状態で、不正の目的で駆動されていない側の検出装置側には発光の影響が及ばないようにして駆動されている側の検出装置の近くで不正の目的で発光体を点滅させた場合には、不正は検知されないが、前記切換手段によって第１、第２の状態は順次切換えられるから、第１の状態に切換えられた時点で直ちに不正が検知される。
【００２４】
また、不正の目的で２つの発光体を２ケ所の検出装置の近くで所定の時間差をもって点滅させた場合、第２の状態では、駆動されていない側のカウンタからも計数出力が生じるので、不正が直ちに検知される。なお、このような不正行為の場合で、第１の状態では２つのカウンタの計数値の差が正規範囲内になる場合には不正が検知されないが、前記切換手段によって、第１、第２の状態は順次切換えられるから、第２の状態に切換えられた時点で直ちに不正が検知される。
【００２５】
【発明の実施の形態】
以下、図面に基づいて本発明の実施の形態を説明する。
例えば各パチンコ台ごとにパチンコ玉計数装置を備えている場合では、パチンコ遊技による賞球はパチンコ台の前面側下部の玉箱（図示せず）に排出され、玉箱の操作レバー（図示せず）を操作すると、玉箱の開閉シャッタ（図示せず）が開き、パチンコ玉はパチンコ玉計数装置に落下する。パチンコ玉計数装置（遊技媒体計数装置）は図４に示すように上方から落下してきたパチンコ玉１を受けて、自重によって転動落下させる傾斜した複数の走行路２、２、…を備えていて、各走行路を転動落下中に、計数されて、下部タンク（図示せず）へ落下する。
【００２６】
各走行路２の上流側及び下流側の２ケ所において、走行路２を挟むように両側に通過するパチンコ玉１によって光が遮断されるように対をなす投光器（送信部）３ａと受光器（受信部）３ｂから成る第１の検出装置３及び対をなす投光器（送信部）４ａと受光器（受信部）４ｂから成る第２の検出装置４がそれぞれ設けられている。
【００２７】
このため、走行路をパチンコ玉Ｐが通過する際の、上流及び下流の２つの受光器３ｂ、４ｂの各検出信号によってパチンコ玉Ｐの通過が検出される。
なお、複数のパチンコ玉１が１本の走行路２に連続して走行する状態でも個々のパチンコ玉１を検出できるように、投光器３ａ、４ａから受光器３ｂ、４ｂへの光軸がパチンコ玉１の中心から少しずれるように投光器３ａ、４ａ及び受光器３ｂ、４ｂは設置されている。
【００２８】
図１は走行路２の上流、走行路２の上流側、下流側の２ケ所の前記第１、第２の検出手段３、４によって走行路を通るパチンコ玉の数を計数する一実施形態の電子回路部の構成を示している。
【００２９】
図１において、第１、第２の検出手段の各投光器（送信部）３ａ、３ｂは駆動手段５によって駆動されて各受光器（受信部）４ａ、４ｂへ向って投光する。
【００３０】
切換手段６は、切換条件記憶手段７に記憶された切換タイミングに基づいて、アナロクスイッチ８ａ、８ｂへ切換信号を送って、ＯＮ又はＯＦＦにすることによって、第１、第２の検出装置３、４の第１、第２の投光器３ａ、４ａの両方が駆動される状態（第１の状態）と、第１、第２の検出装置３、４の第１、第２の投光器３ａ、４ａのいずれか一方（例えば不正の目的で発光体を挿入するパチンコ玉の投下口より遠い位置にある第２の投光器４ｂ）のみが駆動される状態（第２の状態）とを切換えると共に、この第１、第２の状態を表す信号を判定手段１０へ出力する。
【００３１】
切換条件記憶手段７には、時間（例えば１分）あるいは玉数（例えば５０個）などによる切換タイミングなどが記憶されていて、この記憶された時間あるいは玉数ごとに切換手段は切換信号を出力して第１、第２の状態を順次切換える。
【００３２】
切換条件記憶手段７に記憶される切換タイミングなどの条件は、ホールコンピュータからの指令によって、一定時間ごとにあるいは遊技者が替わるごとに（所定時間パチンコ玉が打ち込まれないことを検出して）書換えるようにしてもよい。また、切換タイミングを複数種類記憶させて、切換装置でランダムに選択した切換タイミングで切換えるようにしてもよい。
【００３３】
カウンタ９は、第２の受光器４ｂの検出信号の出力数を計数する。
判定手段１０は、切換手段６からの切換信号が第１の状態の場合には、第１の受光器３ｂの検出信号と第２の受光器４ｂの検出信号との位相差が、位相差記憶手段１１に記憶された所定の位相差の範囲内の場合にのみ正常と判定し、切換装置の切換信号が第２の状態の場合には、駆動されていない投光側の受光器からの検出信号が出力されていない場合にのみ正常と判定して正常信号を出力し、正常の場合以外の場合には報知装置（ランプ、ブザーなど）１２へ異常を表示又は鳴動させると共に、通信手段１３によってホールコンピュータ２０へその旨を通信させる。
【００３４】
計数終了検出手段１４は、下流側の第２の検出手段４の第２の受光器４ｂからの検出信号が一定時間を過ぎても出力されない場合に計数終了信号を出力し、前記判定手段１０から正常信号が出力されている場合にカウンタの９の計数値を計数値記憶手段１５に記憶させると共に、カウンタ９をリセットして零にする。
【００３５】
なお、計数値終了検出信号は、各走行路ごとではなく、全部の走行路において検出信号が出力されなくなった後、一定時間経過後に出力されるようにしてもよい。
【００３６】
加算手段１６は、各走行路２、２、…ごとの各計数値記憶装置から出力される計数値を加算し、その結果をプリンタ１７やカード処理機１８へ出力する。
【００３７】
次に図１の電子回路部の動作を説明する。
遊技者が玉箱に溜ったパチンコ玉１を計数させたい場合には、玉箱の操作レバーを操作すると開閉シャッタが開いて玉箱内のパチンコ玉１がパチンコ玉計数装置へ落下し、複数の走行路２、２、…に沿って自重によって転動落下する。
【００３８】
切換手段６によって第１の状態、即ち、第１、第２の検出装置３、４の第１、第２の投光器３ａ、４ａが共に駆動されている状態では、この第１の状態を示す信号が判定手段１０へ送られ、パチンコ玉１が走行路２を通る際に、走行速度で決まる位相差で上流及び下流の２ケ所の第１、第２の受光器（受信部）３ｂ、４ｂからそれぞれ検出信号が出力され、判定手段１０によってこの位相差が位相差記憶手段１１に記憶された所定の位相差の範囲内であれば正常と判定される。
【００３９】
また、切換手段６によって第２の状態、即ち、第２の検出装置４の第２の投光器４ａのみが駆動されている状態では、パチンコ玉１の走行の際に上流の第１の受光器３ｂからは検出信号は出力されず、下流の第２の受光器４ｂからのみ検出信号が出力される。このため、切換手段６から第２の状態を示す信号を受けている判定手段１０によって正常と判定されて、正常信号が出力される。
【００４０】
全部のパチンコ玉が走行路を通過し終わると、設定された時間（例えば数秒の）経過後、計数終了検出手段１４から終了信号が出力される。計数値を記憶手段１５は、判定手段１０の正常信号を受け、且つ、前記終了信号を受けると、記憶したカウンタ９の計数値を加算手段１６へ出力する。カウンタ９及び計数値記憶手段１５は前記終了信号によってリセットさせて零にされる。
【００４１】
このようにして、全ての走行路２、２…ごとの計数値が加算手段１６へ出力されて加算されて、全部の走行路２、２…を通過したパチンコ玉の計数値の合計値が、通信装置１３からホールコンピュータ２０へ送信されると共に、カード処理器１８へ出力されて、遊技者が挿入したカードに計数値が記録されるか、また、プリンタ１７へ出力されて計数値がプリントアウトされる。
【００４２】
ところで、不正の目的で、走行路をパチンコ玉が実際には走行していないのに走行しているのと同様に計数させるために、例えば発光体を玉箱の底の開閉シャッタなどから挿入して、例えば上流側の第１の受光器３ｂが受光するように点滅させた場合、第１、第２の投光器３ａ、４ａが共に駆動されている第１の状態では、上流側の第１の受光器３ｂからは発光体の点滅によってパチンコ玉が通らなくても検出信号が出力されるが、不正に挿入された発光体から遠い下流側の第２の受光器４ｂは発光体の点滅に影響されず、検出信号は出力されない。このため、２つの検出信号の位相差が所定の範囲内であるという条件を満たさないため、判定手段１０によって不正が直ちに検知される。
【００４３】
また、２つの投光器３ａ、４ａのうちのいずれか一方の投光器（例えば下流の投光器４ａ）のみが駆動されている第２の状態では、駆動されていない上流の第１の投光器３ａの近くに不正に挿入した発光体を点滅させて、第１の受光器３ｂから検出信号が出力されると、判定手段１０によって直ちに不正が検知される。
【００４４】
また、複数の発光体を挿入して点滅させることによって、もし第１、第２の受光器３ｂ、４ｂから共に検出信号を出力させても、２つの検出信号が所定の位相差にならないから、判定手段１０によって不正が直ちに検知される。
【００４５】
不正が検知されると、異常がランプ、ブザーなどの報知手段１２が点灯あるいは鳴動し、また通信手段１３によってホールコンピュータへ送信される。
【００４６】
なお、第２の投光器４ａのみが駆動されている第２の状態において、第１の受光器３ｂには影響が及ばないようにして、不正の目的で第２の受光器４ｂの近くに発光体を挿入して点滅させた場合、第１の受光器３ｂから検出信号が出力されないから不正は検知されない。しかし一定時間経過すると、あるいはこの不正によるカウンタの計数値が所定値に達すると、切換手段６によって第１の状態に切換えられるため、第１の状態において２つの検出信号の位相差が所定範囲とならないので、直ちに不正が検知される。
【００４７】
また、第１、第２の投光器３ａ、４ａが共に駆動されている第１の状態において、不正の目的で２つの発光体をそれぞれ第１、第２の検出装置３、４の近くで前記所定の位相差の範囲内の時間差をもって点滅させた場合には、不正は検知されないが、第１の状態から第２の状態に切換手段６によって切換えられると、駆動されていない側の第１の受光器３ｂから検出信号が生じるため、判定手段１０によって直ちに不正が検知される。
このように、第１、第２の切換によって不正は直ちに検知されることになる。
【００４８】
なお、一方の投光器のみを駆動させる第２の状態は、第１の投光器と第２の投光器を順次交替するようにしてもよい。この場合は、図２に示すように第１の受光器３ｂ側にもカウンタ９′を設けて、第２の状態ではいずれか駆動されている側の２つのカウンタ９、９′のうちのいずれか一方の計数値を計数値記憶手段１５へ出力させればよい。
【００４９】
なお、図１の実施形態では、第１の状態においてパチンコ玉の走行速度で決まる第１、第２の検出装置３、４の検出信号の位相差を不正検知に利用しているが、大量のパチンコ玉が走行路に流入してパチンコ玉が数珠繋ぎに連続して走行路を走行するため走行速度が遅くなる場合が生じるおそれがある。
【００５０】
図３はこのような場合にも対応できるようにした本発明の他の実施形態の電子回路部の構成を示している。なお、図１、図２と同一部分についての説明は省略する。
【００５１】
第１、第２のカウンタ９ａ、９ｂは、それぞれ第１、第２の受光器３ｂ、４ｂの各検出信号の出力数をそれぞれ計数する。第１、第２のカウンタの計数値は、切換手段６によって第１、第２の状態が切換えられるごとにリセットされて零にされる。
【００５２】
不正判定手段１０は、切換手段６からの切換信号が第１の状態の場合には、第１、第２のカウンタ９ａ、９ｂの各計数値の差が、玉数記憶手段１９に記憶された走行路の第１、第２の検出手段３、４が設置された上流、下流の２ケ所間に存在可能なパチンコ玉の数までの場合にのみ正常と判定し、第２の状態の場合には、駆動されていない投光側の第１のカウンタの計数値が零の場合にのみ正常と判定して正常信号を出力し、正常の場合以外の場合には報知装置１２のランプあるいはブザーを点灯あるいは鳴動させ、通信回路１３によってホールコンピュータ２０へその旨を通信させる。
【００５３】
計数値記憶手段１５は、判定手段１０から正常信号が出力されている場合において、切換手段６で切換えられるごとに第２のカウンタ９ｂの計数値を累積して記憶する。
【００５４】
計数終了検出手段１４は、下流側の第２の検出装置の受光器４ｂからの検出信号が一定時間を過ぎても出力されない場合に計数終了信号を出力し、前記判定手段１０から正常信号が出力されている場合に計数値記憶手段１５に記憶されている累積された計数値を加算手段１６へ出力させると共に、第１、第２のカウンタ９ａ、９ｂの値をリセットして零にする。
【００５５】
次に図３の電子回路部の動作を説明する。
遊技者が玉箱に溜ったパチンコ玉を計数させたい場合には、玉箱の操作レバーを操作すると開閉シャッタが開いて玉箱内のパチンコ玉１がパチンコ玉計数装置へ落下し、複数の走行路２、２、…に沿って自重によって転動落下する。
【００５６】
切換手段６によって第１の状態、即ち、第１、第２の検出装置３、４の第１、第２の投光器３ａ、４ａが共に駆動された状態に切換えられると、第１、第２のカウンタ９ａ、９ｂはリセットされ、パチンコ玉１が走行路２を通る際に、第１、第２の受光器３ｂ、４ｂから各検出信号が出力され、それぞれ第１、第２のカウンタ９ａ、９ｂで計数される。
【００５７】
そして、第１、第２のカウンタ９ａ、９ｂの各計数値の差が、玉数記憶手段１９に記憶された第１、第２の検出装置３、４間に存在可能なパチンコ玉の数（即ち、パチンコ玉が数珠繋ぎになって存在できる数）の範囲内であれば正常と判定される。
【００５８】
また、切換装手段６によって第２の状態、即ち、第２の検出装置４の第２の投光器４ａのみが駆動されている状態では、パチンコ玉の走行の際に上流の第１の受光器３ｂからは検出信号は出力されず、下流の第２の受光器４ｂからのみ検出信号が出力される。このため、第１のカウンタ９ａの計数値が零の場合にのみ判定手段１０は正常と判定して、正常信号を出力する。
【００５９】
パチンコ玉の走行が終わって、設定された時間（例えば数秒）経過後、計数終了検出手段１４から終了信号が出力されると、計数値記憶手段１５は、判定手段１０の正常信号を受けている場合、記憶した第２のカウンタ９ｂの計数値を加算手段１６へ出力する。第１、第２のカウンタ９ａ、９ｂ及び計数値記憶手段１５は前記終了信号によってリセットさせて零にされる。
【００６０】
このようにして、すべての走行路ごとの計数値が加算手段１６で加算されて、通信手段１３からホールコンピュータ２０へ送信されると共に、カード処理機１８へ出力されて、遊技者が挿入したカードに計数値が記録され、また、プリンタ１７へ出力されて計数値がプリントアウトされる。
【００６１】
ところで、不正の目的でパチンコ玉が走行しているようにみせかけるために、発光体を玉箱の底の開閉シャッタなどから挿入して第１の受光器３ｂの近くで点滅させた場合、第１、第２の投光器３ａ、４ａが共に駆動されている第１の状態では、上流側の第１の受光器３ｂからは発光体の点滅によってパチンコ玉が通らなくても検出信号が出力されるが、下流側の第２の受光器は発光体４ｂの点滅に影響されず、検出信号は出力されない。このため、第１のカウンタ９ａのみが検出信号を計数し、第２のカウンタ９ｂは零のままなので、第１、第２のカウンタ９ａ、９ｂの計数値の差が前記範囲内であるという条件を満たさなくなるため、判定手段１０によって不正が直ちに検知される。
【００６２】
また、第１の投光器３ａが駆動されていない第２の状態では、駆動されていない上流側の第１の受光器３ｂの近くに不正に挿入した発光体を点滅させて、第１の受光器３ｂから検出信号が出力されて第１のカウンタ９ａが計数すると、判定手段１０によって直ちに不正が検知される。
【００６３】
不正が検知されると、ランプあるいはブザーなどの報知手段１２が点灯あるいは鳴動し、また通信手段１３によってホールコンピュータ２０へ送信される。
【００６４】
なお、第２の投光器のみが駆動されている第２の状態で、第１の受光器３ｂには影響が及ばないようにして、第２の受光器４ｂの近くに発光体を挿入して点滅させた場合、不正は検知されない。しかし、所定時間経過すると、あるいはこの不正によるカウンタの計数値が所定値に達すると、切換手段６によって第１の状態に切換えられるため、第１の状態において第１、第２のカウンタ９ａ、９ｂの計数値の差が所定範囲内にならないので、直ちに不正が検知される。
【００６５】
また、第１の状態で複数の発光体を挿入して第１、第２の受光器３ｂ、４ｂから共に検出信号を出力させると、第１、第２のカウンタ９ａ、９ｂの計数値の差が零となり、不正が検知されない。しかし、同様に所定時間経過あるいはカウンタの計数による玉数が所定値に達すると、第２の状態に切換えられるため、直ちに不正が検知される。
【００６６】
また、第１の状態において、前記したように２つの発光体をそれぞれ第１、第２の検出装置３、４の近くで前記所定の位相差の範囲内の時間差をもって点滅させた場合も、第１、第２のカウンタ９ａ、９ｂの計数値の差が所定範囲内となるため不正は検知されないが、同様に第２の状態に切換られるから、駆動されていない側の第１の受光器３ｂから生じる検出信号のために直ちに不正が検知される。
このように、第１、第２の状態の切換によって不正は直ちに検知されることになる。
【００６７】
なお、一方の投光器のみを駆動させる第２の状態は、第１の投光器３ａと第２の投光器４ａを順次交替するようにしてもよい。この場合は、駆動されている側のカウンタの計数値を出力するようにすればよい。
【００６８】
なお、以上の説明では、検出装置として対をなす投光器と受光器を例示したが、コイルで構成された送信器と受信器を走行路を挟むように設けて、パチンコ玉の通過を受信器で検知するようにしてもよい。
【００６９】
また、不正の目的でアンテナなどを近づけて強い電磁波を受光器あるいは受信器に与えて検出信号を不正に発生させても、２つの投光器（あるいは送信器）の両方が駆動される第１の状態と一方のみが駆動される第２の状態との切換によって、不正な光の点滅の場合と同様に不正を検知することができる。
なお、パチンコ玉に限らず、走行させつつ検出できる遊技媒体であれば、本発明を適用することができる。
【００７０】
【発明の効果】
以上説明したように本発明では、２つの検出装置を遊技媒体の走行路の上流側と下流側に設けて、双方を駆動する状態と一方のみを駆動する状態とに切換えるようにしたため、不正の目的で計数させることを容易に且つ確実に防ぐことができる。
【図面の簡単な説明】
【図１】本発明の遊技媒体計数装置の一実施形態の電子回路部のブロック図
【図２】本発明の遊技媒体計数装置の他の実施形態の電子回路部のブロック図
【図３】本発明の遊技媒体計数装置のさらに他の実施形態の電子回路部のブロック図
【図４】パチンコ玉走行路と検出装置の概略構成図
【符号の説明】
１  パチンコ玉
２  走行路
３  第１の検出装置
３ａ  第１の投光器
３ｂ  第１の受光器
４  第２の検出装置
４ａ  第２の投光器
４ｂ  第２の受光器
５  駆動手段
６  切換手段
７  切換条件記憶手段
９、９′  カウンタ
９ａ  第１のカウンタ
９ｂ  第２のカウンタ
１０  判定手段
１１  位相差記憶手段
１２  報知手段
１３  通信手段
１４  計数終了検出手段
１５  計数値記憶手段
１６  加算手段
１９  玉数記憶手段
２０  ホールコンピュータ
【図１】
0004098388.tif 000002
【図２】
0004098388.tif 000003
【図３】
0004098388.tif 000004
【図４】
0004098388.tif 000005